(57)【要約】   本開示は、情報送信方法、装置、及びネットワークデバイスである。方法において、分散ユニット（ＤＵ：Ｄｉｓｔｒｉｂｕｔｅｄ  Ｕｎｉｔ）は、端末から目標システム情報（ＳＩ：Ｓｙｓｔｅｍ  Ｉｎｆｏｒｍａｔｉｏｎ）のための第１ＳＩ要求を受信し、中央ユニット（ＣＵ：Ｃｅｎｔｒａｌｉｚｅｄ  Ｕｎｉｔ）へ、第１ＳＩ要求を転送する。第１ＳＩ要求の受信時に、ＣＵは、端末へ要求された目標ＳＩを送信するか否かの第１インジケーションを送信する。ＤＵは、第１インジケーションに基づいて第１ＳＩ要求応答を生成し、端末へ第１ＳＩ要求応答を送信する。
2021504993.tif 000002
【特許請求の範囲】
【請求項１】
分散ユニット（ＤＵ：Ｄｉｓｔｒｉｂｕｔｅｄ  Ｕｎｉｔ）を含む基地局において適応される、情報送信のための方法であって、
前記ＤＵにより、端末から目標システム情報（ＳＩ：Ｓｙｓｔｅｍ  Ｉｎｆｏｒｍａｔｉｏｎ）のための第１ＳＩ要求を受信することと、
前記ＤＵにより、第１構成情報に基づいて要求された前記目標ＳＩを前記端末に送信するか否かを決定することであって、前記第１構成情報は、どの目標ＳＩが前記端末に送信され得るか、又は、どの目標ＳＩが前記端末に送信され得ないか、の少なくともいずれか１つを決定するように設定されていることと、
前記ＤＵにより、前記決定に基づいて第１ＳＩ要求応答を生成することと、
前記ＤＵにより、前記第１ＳＩ要求応答を前記端末に送信することと、
を備える、方法。
【請求項２】
前記目標ＳＩは、１又は複数の目標ＳＩを備える、請求項１に記載の方法。
【請求項３】
前記第１構成情報は、予め構成された構成情報、又は中央ユニット（ＣＵ：Ｃｅｎｔｒａｌｉｚｅｄ  Ｕｎｉｔ）から前記ＤＵに同期された構成情報である、請求項１又は２に記載の方法。
【請求項４】
前記端末へ前記第１ＳＩ要求応答を送信している間に、前記ＤＵにより、前記第１ＳＩ要求を、前記ＣＵに転送することと、
前記第１ＳＩ要求の受信時に、前記端末へ要求された前記目標ＳＩを送信するか否かを示す第１インジケーションを、前記ＣＵにより送信することと、
をさらに備える、請求項１乃至３のいずれかに記載の方法。
【請求項５】
前記ＤＵにより、前記第１ＳＩ要求を前記端末から受信することは、
ランダムアクセスチャネル（ＲＡＣＨ：Ｒａｎｄｏｍ  Ａｃｃｅｓｓ  Ｃｈａｎｎｅｌ）処理の間に、前記ＤＵにより、第１メッセージ（ＭＳＧ１）において前記端末により送信された第１ＳＩ要求を受信すること、
を備える、請求項１乃至４のいずれかに記載の方法。
【請求項６】
前記ＤＵにより生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項１乃至５のいずれかに記載の方法。
【請求項７】
前記ＤＵにより、前記端末へ前記第１ＳＩ要求応答を送信することは、
ＲＡＣＨ処理の間に、前記ＤＵにより、第２メッセージ（ＭＳＧ２）において前記端末に前記第１要求応答を送信すること、
を備える請求項１乃至６のいずれかに記載の方法。
【請求項８】
中央ユニット（ＣＵ：Ｃｅｎｔｒａｌｉｚｅｄ  Ｕｎｉｔ）及び分散ユニット（ＤＵ：Ｄｉｓｔｒｉｂｕｔｅｄ  Ｕｎｉｔ）を備える基地局において適応される、情報送信のための方法であって、
前記ＤＵにより、端末から目標システム情報（ＳＩ：Ｓｙｓｔｅｍ  Ｉｎｆｏｒｍａｔｉｏｎ）のための第１ＳＩ要求を受信することと、
前記ＤＵにより、前記ＣＵへ、前記第１ＳＩ要求を転送することと、
前記第１ＳＩ要求の受信時に、要求された前記目標ＳＩを前記端末に送信するか否かの第１インジケーションを、前記ＣＵにより送信することと、
前記ＤＵにより、前記第１インジケーションに基づいて第１ＳＩ要求応答を生成することと、
前記ＤＵにより、前記第１ＳＩ要求応答を前記端末に送信することと、
を備える、方法。
【請求項９】
前記ＤＵにより、前記第１ＳＩ要求を前記端末から受信することは、
ランダムアクセスチャネル（ＲＡＣＨ：Ｒａｎｄｏｍ  Ａｃｃｅｓｓ  Ｃｈａｎｎｅｌ）処理の間に、前記ＤＵにより、第１メッセージ（ＭＳＧ１）において前記端末により送信される第１ＳＩ要求を受信すること、
を備える、請求項８に記載の方法。
【請求項１０】
前記ＤＵにより、生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項８又は９に記載の方法。
【請求項１１】
前記ＤＵにより、前記端末へ前記第１ＳＩ要求応答を送信することは、
ＲＡＣＨ処理の間に、前記ＤＵにより、第２メッセージ（ＭＳＧ２）において前記端末に前記第１ＳＩ要求応答を送信すること、
を備える、請求項８乃至１０のいずれかに記載の方法。
【請求項１２】
端末から目標システム情報（ＳＩ：Ｓｙｓｔｅｍ  Ｉｎｆｏｒｍａｔｉｏｎ）のための第１ＳＩ要求を受信するように、第１構成情報に基づいて要求された前記目標ＳＩを前記端末に送信するか否かを決定するように、前記決定に基づいて第１ＳＩ要求応答を生成するように、及び前記第１ＳＩ要求応答を前記端末に送信するように構成された分散ユニット（ＤＵ：Ｄｉｓｔｒｉｂｕｔｅｄ  Ｕｎｉｔ）を備え、前記第１構成情報は、どの目標ＳＩが前記端末に送信され得るか、又は、どの目標ＳＩが前記端末に送信され得ないか、の少なくともいずれか１つを決定するように構成される、
情報送信装置。
【請求項１３】
前記目標ＳＩは、１又は複数の目標ＳＩを備える、請求項１２に記載の装置。
【請求項１４】
前記第１構成情報は、予め構成された構成情報、又は中央ユニット（ＣＵ：Ｃｅｎｔｒａｌｉｚｅｄ  Ｕｎｉｔ）から前記ＤＵに同期された構成情報である、請求項１２又は１３に記載の装置。
【請求項１５】
前記装置はＣＵをさらに備えており、
前記端末へ前記第１ＳＩ要求応答を送信している間に、前記ＤＵは、前記第１ＳＩ要求を前記ＣＵに転送するように構成され、
前記ＣＵは、前記第１ＳＩ要求の受信時に、前記端末へ要求された前記目標ＳＩを送信するか否かを示すための第１インジケーションを送信するように構成される、
請求項１２乃至１４のいずれかに記載の装置。
【請求項１６】
前記ＤＵは、ランダムアクセスチャネル（ＲＡＣＨ：Ｒａｎｄｏｍ  Ａｃｃｅｓｓ  Ｃｈａｎｎｅｌ）処理の間に、第１メッセージ（ＭＳＧ１）において前記端末により送信された第１ＳＩ要求を受信するように構成される、請求項１２乃至１５のいずれかに記載の装置。
【請求項１７】
前記ＤＵにより生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項１２乃至１６のいずれかに記載の装置。
【請求項１８】
前記ＤＵは、ＲＡＣＨ処理の間に、第２メッセージ（ＭＳＧ２）において前記端末に前記第１ＳＩ要求応答を送信するように構成される、請求項１２乃至１７のいずれかに記載の装置。
【請求項１９】
分散ユニット（ＤＵ：Ｄｉｓｔｒｉｂｕｔｅｄ  Ｕｎｉｔ）と、
中央ユニット（ＣＵ：Ｃｅｎｔｒａｌｉｚｅｄ  Ｕｎｉｔ）を備える情報送信装置であって、
前記ＤＵは、端末から目標システム情報（ＳＩ：Ｓｙｓｔｅｍ  Ｉｎｆｏｒｍａｔｉｏｎ）のための第１ＳＩ要求を受信するように構成され、
前記ＣＵは、前記第１ＳＩ要求の受信時に、要求された前記目標ＳＩを前記端末に送信するか否かの第１インジケーションを送信するように構成され、
前記ＤＵは、前記第１インジケーションに基づいて第１ＳＩ要求応答を生成するように、且つ、前記第１ＳＩ要求応答を前記端末に送信するようにさらに構成される、
情報送信装置。
【請求項２０】
前記ＤＵは、ランダムアクセスチャネル（ＲＡＣＨ：Ｒａｎｄｏｍ  Ａｃｃｅｓｓ  ＣＨａｎｎｅｌ）処理の間に、第１メッセージ（ＭＳＧ１）において前記端末により送信される第１ＳＩ要求を受信するように構成される、請求項１９に記載の装置。
【請求項２１】
前記ＤＵにより、生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項１９又は２０に記載の装置。
【請求項２２】
前記ＤＵは、ＲＡＣＨ処理の間に、第２メッセージ（ＭＳＧ２）において前記端末に前記第１ＳＩ要求応答を送信するように構成される、請求項１９乃至２１に記載の装置。
【請求項２３】
プロセッサと、
コンピュータプログラムを格納するメモリであって、前記コンピュータプログラムは、前記プロセッサにより実行された場合、前記プロセッサに請求項１乃至７のいずれかに記載の方法、又は、請求項８乃至１１のいずれかに記載の方法を実行させるメモリと、
を備えるネットワークデバイス。
【請求項２４】
メモリからコンピュータプログラムを呼び出し、前記コンピュータプログラムを実行するように構成されたプロセッサであって、前記チップをインストールする端末が、請求項１乃至７のいずれかに記載の方法、又は、請求項８乃至１１のいずれかに記載の方法を実行することを可能とするプロセッサを備える、チップ。
【請求項２５】
コンピュータ可読指令を格納し、前記コンピュータ可読指令は、プロセッサにより実行された場合、前記プロセッサに請求項１乃至７のいずれかに記載の方法、又は、請求項８乃至１１のいずれかに記載の方法を実行させる、コンピュータ可読記憶媒体。
【請求項２６】
プロセッサにより実行された場合、前記プロセッサに請求項１乃至７のいずれかに記載の方法、又は、請求項８乃至１１のいずれかに記載の方法を実行させるコンピュータ可読指令を備える、コンピュータプログラム製品。
【請求項２７】
プロセッサにより実行された場合、前記プロセッサに請求項１乃至７のいずれかに記載の方法、又は、請求項８乃至１１のいずれかに記載の方法を実行させる、コンピュータプログラム。
【発明の詳細な説明】
【関連出願】
【０００１】
本出願は、２０１７年１１月２７日に出願された米国仮出願番号第６２／５９０，９９５号の利益を主張し、その内容はその全てについて参照して本明細書に組み込まれる。
【技術分野】
【０００２】
本開示は、移動通信の技術分野に関連し、具体的には、情報送信方法及び装置、並びにネットワークデバイスに関連する。
【背景技術】
【０００３】
ＬＴＥ（Ｌｏｎｇ  Ｔｅｒｍ  Ｅｖｏｌｕｔｉｏｎ）通信システムにおいて、ｅＮＢ（ｅｖｏｌｖｅｄ  ＮｏｄｅＢ）は、ＳＩＢｓ（Ｓｙｓｔｅｍ  Ｉｎｆｏｒｍａｔｉｏｎ  Ｂｌｏｃｋｓ）が配信されるように構成し、ユーザ機器（ＵＥ：Ｕｓｅｒ  Ｅｑｕｉｐｍｅｎｔ）は、下りリンク同期がなされた後にＳＩＢｓを受信する。しかしながら、多すぎるＳＩＢｓを配信することは、物理下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）及び物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のいずれにおいても、極めて多くの下りリンク無線リソースを占有するであろう。
【発明の概要】
【０００４】
本開示の実施形態は、情報送信方法及び装置、ネットワークデバイス、チップ、コンピュータ可読記憶媒体、コンピュータプログラム製品、並びにコンピュータプログラムを提供する。
【０００５】
第１の観点では、情報送信方法が提供される。方法は以下の動作を含む。分散ユニット（ＤＵ：Ｄｉｓｔｒｉｂｕｔｅｄ  Ｕｎｉｔ）は、端末から目標システム情報（ＳＩ：Ｓｙｓｔｅｍ  Ｉｎｆｏｒｍａｔｉｏｎ）のための、第１ＳＩ要求を受信する。ＤＵは、第１構成情報に基づいて要求された目標ＳＩを端末に送信するか否かを決定し、第１構成情報は、どの目標ＳＩが端末に送信され得るか、どの目標ＳＩが端末に送信され得ないか、の少なくともいずれか１つを決定するように設定されている。ＤＵは、前記の決定に基づいて第１ＳＩ要求応答を生成する。ＤＵは、第１ＳＩ要求応答を端末に送信する。
【０００６】
第１の観点における方法によると、オン−デマンドのＳＩ要求の受信時に、ＤＵは、中央ユニット（ＣＵ：Ｃｅｎｔｒａｌｉｚｅｄ  Ｕｎｉｔ）の応答を待たずに、ユーザ機器へ、ランダムアクセス応答（ＲＡＲ：Ｒａｎｄｏｍ  Ａｃｃｅｓｓ  Ｒｅｓｐｏｎｓｅ）を含んでいる応答をより早く送信し得る。したがって、オン−デマンドのＳＩ要求への応答の遅延を縮小し得る可能性がある。遅延の増加が、ユーザ機器の１つのＳＩの周期性についての見逃しを招く場合、ゲインはさらに考慮されるべきであろう。
【０００７】
第２の観点では、情報送信方法が提供される。方法は以下の動作を含む。分散ユニット（ＤＵ）は、端末から目標システム情報（ＳＩ）のための第１ＳＩ要求を受信し、中央ユニット（ＣＵ）へ第１ＳＩ要求を転送する。第１ＳＩ要求の受信時に、ＣＵは、要求された目標ＳＩを端末へ送信するか否かの第１インジケーションを送信する。ＤＵは、第１インジケーションに基づいて第１ＳＩ要求応答を生成し、第１ＳＩ要求応答を端末へ送信する。
【０００８】
第２の観点における方法によると、ＣＵは要求された他のＳＩメッセージを配信するか否かを担当する。したがって、端末が、端末へ送信され得る要求された目標ＳＩを、受信し得ることを保証する。
【０００９】
第３の観点では、情報送信装置が提供される。装置は分散ユニット（ＤＵ）を含む。ＤＵは、端末から目標システム情報（ＳＩ）のための第１ＳＩ要求を受信するように構成され、第１構成情報に基づいて要求された目標ＳＩを端末に送信するか否かを決定し、前記の決定に基づいて第１ＳＩ要求応答を生成し、第１ＳＩ要求応答を端末に送信する。第１構成情報は、どの目標ＳＩが端末に送信され得るか、どの目標ＳＩが端末に送信され得ないか、の少なくともいずれか１つを決定するように構成される。
【００１０】
第４の観点では、情報送信装置が提供される。装置は、分散ユニット（ＤＵ）及び中央ユニット（ＣＵ）を含む。ＤＵは、端末から目標システム情報（ＳＩ）のための、第１ＳＩ要求を受信するように、ＣＵへ第ＳＩ要求を転送するように構成される。ＣＵは第１ＳＩ要求の受信時に、端末へ要求された目標ＳＩを送信するか否かの第１インジケーションを送信するように構成される。ＤＵは、第１インジケーションに基づいて第１ＳＩ要求応答を生成するように、第１ＳＩ要求応答を端末に送信するように、さらに構成される。
【００１１】
第５の観点では、ネットワークデバイスが提供される。ネットワークデバイスは、プロセッサとメモリを含む。メモリはコンピュータプログラムを格納し、コンピュータプログラムがプロセッサにより実行された場合、プロセッサに第１の観点において記載した方法、又は、第２の観点において記載した方法を実行させる。
【００１２】
第６の観点では、チップが提供される。チップはプロセッサを含む。プロセッサは、メモリからコンピュータプログラムを呼び出し、コンピュータプログラムを実行させ、チップをインストールする端末が、第１の観点において記載した方法、又は、第２の観点において記載した方法を実行することを可能とする。
【００１３】
第７の観点では、コンピュータ可読記憶媒体が提供される。コンピュータ可読記憶媒体はコンピュータ可読指令を格納し、コンピュータ可読指令はプロセッサにより実行された場合、プロセッサに第１の観点において記載した方法、又は、第２の観点において記載した方法を実行させる。
【００１４】
第８の観点では、コンピュータプログラム製品が提供される。コンピュータプログラム製品は、コンピュータ可読指令を含む。コンピュータ可読指令はプロセッサにより実行された場合、プロセッサに第１の観点において記載した方法、又は、第２の観点において記載した方法を実行させる。
【００１５】
第９の観点では、コンピュータプログラムが提供される。コンピュータプログラムは、プロセッサにより実行された場合、プロセッサに第１の観点において記載した方法、又は、第２の観点において記載した方法を実行させる。
【図面の簡単な説明】
【００１６】
【図１】図１は、本開示のいくつかの実施形態に係る通信システムの構成の概略図を図示する。
【図２】図２は、本開示のいくつかの実施形態に係る情報送信方法のフローチャートを図示する。
【図３】図３は、本開示のいくつかの実施形態に係る情報送信方法の相互作用フローチャートを図示する。
【図４】図４は、本開示のいくつかの実施形態に係る他の情報送信方法のフローチャートを図示する。
【図５】図５は、本開示のいくつかの実施形態に係る他の情報送信方法の相互作用フローチャートを図示する。
【図６】図６は、本開示のいくつかの実施形態に係る情報送信装置のブロック図を図示する。
【図７】図７は、本開示のいくつかの実施形態に係る他の情報送信装置のブロック図を図示する。
【図８】図８は、本開示のいくつかの実施形態に係るネットワークデバイスの概略ブロック図を図示する。
【図９】図９は、本開示のいくつかの実施形態に係るチップの概略ブロック図を図示する。
【図１０】図１０は、本開示のいくつかの実施形態に係る通信システムの概略ブロック図を図示する。
【発明の詳細な説明】
【００１７】
以下は、本開示の実施形態における付随する図を基準として、本開示の実施形態における技術的解決を、明確且つ完全に記述する。明らかに、記述された実施形態は、本開示の実施形態における全てではなく、むしろ単に一部である。創造的な努力無しに、本開示の実施形態に基づいて当業者により取得される他の全ての実施形態は、本開示の保護範囲の中に含まれるべきである。
【００１８】
以下に記載された本開示の実施形態は、様々な通信システムに応用され得る。例えば、ＧＳＭ（Ｇｌｏｂａｌ  Ｓｙｓｔｅｍ  ｏｆ  Ｍｏｂｉｌｅ  Ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＦＤＤ（ＬＴＥ  Ｆｒｅｑｕｅｎｃｙ  Ｄｉｖｉｓｉｏｎ  Ｄｕｐｌｅｘ）システム、ＴＤＤ（ＬＴＥ  Ｔｉｍｅ  Ｄｉｖｉｓｉｏｎ  Ｄｕｐｌｅｘ）システム、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）システム、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、５Ｇシステム、又は、それらに類する通信システムなどである。
【００１９】
ここで文章中における、“システム”及び“ネットワーク”という用語は、交換し得ると理解されるべきである。文書中における、“及び／又は”という用語は、単に関連する物の間の関連を記述し、３つの種類の関連性を示す。例えば、Ａ及び／又はＢとは、Ａ単独で存在する、Ａ及びＢが共存する、又はＢ単独で存在する、を示してもよい。加えて、文章中における“／”という符号は、原則、関連する物が“又は”の関係にあることを示す。
【００２０】
図１は、本開示の実施形態において適応される通信システム１００の概略図である。無線通信システム１００は、少なくとも１つのネットワークデバイス１１０を含んでよい。アクセスネットワークデバイス１００は、ターミナルデバイス１２０（又は通信端末と呼ばれる、端末）と通信するデバイスでもよい。それぞれのアクセスネットワークデバイス１００は、特定の地理的領域のための通信範囲を提供してもよく、その範囲内にてターミナルデバイスと通信してもよい。ネットワークデバイス１００は、ＧＳＭシステム又はＣＤＭＡ（Ｃｏｄｅ  Ｄｉｖｉｓｉｏｎ  Ｍｕｌｔｉｐｌｅ  Ａｃｃｅｓｓ）システムにおける、ＢＴＳ（Ｂａｓｅ  Ｔｒａｎｓｃｅｉｖｅｒ  Ｓｔａｔｉｏｎ）でもよく、又は、ＷＣＤＭＡシステムにおけるＮＢ（ＮｏｄｅＢ）でもよく、又は、ＬＴＥシステムにおけるｅＮＢ又はｅＮｏｄｅＢ（Ｅｖｏｌｕｔｉｏｎａｌ  ＮｏｄｅＢ）でもよく、ＣＲＡＮ（Ｃｌｏｕｄ  Ｒａｄｉｏ  Ａｃｃｅｓｓ  Ｎｅｔｗｏｒｋ）におけるラジオコントローラでもよい。あるいは、ネットワークデバイスは、リレー局、アクセスポイント、車載デバイス、ウェアラブルデバイス、５Ｇネットワークにおけるコアネットワークデバイス、ＰＬＭＮ（ｆｕｔｕｒｅ  ｅｖｏｌｖｅｄ  Ｐｕｂｌｉｃ  Ｌａｎｄ  Ｍｏｂｉｌｅ  Ｎｅｔｗｏｒｋ）におけるネットワークデバイス、又は、それらに類するデバイスなどでもよい。
【００２１】
通信システム１００は、ネットワーク機器１１０の範囲内において、さらに複数のターミナルデバイス１２０を含んでもよい。ターミナルデバイス１２０は、移動式でも固定式でもよい。それぞれのターミナルデバイス１２０は、アクセスターミナル、ユーザ機器（ＵＥ：Ｕｓｅｒ  Ｅｑｕｉｐｍｅｎｔ）、加入者ユニット、加入者ステーション、モバイルステーション、モバイルプラットフォーム、リモートステーション、リモートターミナル、モバイルデバイス、ユーザターミナル、ターミナル、無線通信デバイス、ユーザエージェント、又は、ユーザデバイスでもよい。アクセスターミナルは、携帯電話、コードレス電話、ＳＩＰ（Ｓｅｓｓｉｏｎ  Ｉｎｔｉａｔｉｏｎ  Ｐｒｏｔｏｃｏｌ）電話、ＷＬＬ（Ｗｉｒｅｌｅｓｓ  Ｌｏｃａｌ  Ｌｏｏｐ）ステーション、ＰＤＡ（Ｐｅｒｓｏｎａｌ  Ｄｉｇｉｔａｌ  Ａｓｓｉｓｔａｎｔ）、無線通信機能を持つハンドヘルドデバイス、コンピューティングデバイス、又は、無線モデムに接続された他の任意のプロセッシングデバイス、車載デバイス、ウェアラブルデバイス、将来の５Ｇネットワークにおけるターミナルデバイス、ＰＬＭＮにおけるターミナルデバイス、又は、それらに類するデバイスなどでよい。
【００２２】
ターミナルデバイス１２０は、例えばＤ２Ｄ（Ｄｅｖｉｃｅ  ｔｏ  Ｄｅｖｉｃｅ）直接接続を通して、互いに通信してもよい。
【００２３】
５Ｇシステム又は５Ｇネットワークは、ＮＲ（Ｎｅｗ  Ｒａｄｉｏ）システム又はＮＲネットワークと呼ばれてもよい。
【００２４】
図１は、ネットワークデバイスと２つのターミナルデバイスを図示する。もちろん、通信システム１００は、複数のネットワークデバイス１１０、及びそれぞれのネットワークデバイスの範囲内におけるいくつかのターミナルデバイスを含んでもよいことが理解されるべきである。ネットワークデバイスの数及びターミナルデバイスの数は、本開示の実施形態においては限定されない。
【００２５】
通信システム１００は、ネットワークコントローラ、モバイルマネジメントエンティティ、及び他のネットワークエンティティをさらに含んでもよく、それらはここで限定されない。
【００２６】
当業者は、本開示の実施形態において、ネットワーク／システムにおいて通信機能を持つデバイスをターミナルデバイスと呼んでもよいことを理解し得る。図１において図示されている通信システム１００を例として取り扱うとすれば、ターミナルデバイスは、ネットワークデバイス１１０とターミナルデバイス１２０を含んでもよく、それぞれが通信機能を持つ。ターミナルデバイスは、通信システム１００においてさらに他のデバイスを含んでもよく、例えば、ネットワークコントローラ、モバイルマネジメントエンティティ、及び他のネットワークエンティティであり、それらはここで限定されない。
【００２７】
ＰＤＣＣＨ及びＰＤＳＣＨの両方において、極めて多くの下りリンク無線リソースを占有するであろう多すぎるＳＩＢｓの配信を避けるために、オン−デマンドＳＩメカニズムが導入され、ＭＳＧ１−ベース、ＭＳＧ２−ベース、及び専用ＲＲＣ信号ベースのアプローチを含む様々な手法が議論されている。
【００２８】
次世代ＮｏｄｅＢ（ｇＮＢ）において、分散ユニット（ＤＵ）がＭＳＧ１−ベースのオン−デマンドＳＩ要求を受信した場合、曖昧さの問題が存在する。一方で、媒体アクセス制御（ＭＡＣ：Ｍｅｄｉａ  Ａｃｃｅｓｓ  Ｃｏｎｔｒｏｌ）層において、ＭＳＧ１−ベースのオン−デマンドＳＩ要求が処理され、ＤＵはＭＳＧ２を応答として符号化できる（ランダムアクセス応答（ＲＡＲ：Ｒａｎｄｏｍ  Ａｃｃｅｓｓ  Ｒｅｓｐｏｎｓｅ）を用いて）。この観点から、無線リソース制御（ＲＲＣ：Ｒａｄｉｏ  Ｒｅｓｏｕｒｃｅ  Ｃｏｎｔｒｏｌ）層の関与無しに、ＤＵはユーザ機器とともにＲＡＲ（ＭＳＧ２）を送り得る。他方では、他のＳＩのための、中央ユニット（ＣＵ）により符号化された要求がある。したがって、ＤＵにおける無線リソース制御（ＲＲＣ）層が関与してもよい。
【００２９】
オン−デマンドＳＩメカニズムのため、ＭＳＧ１−ベースのオン−デマンドＳＩ要求はランダムアクセスチャネル（ＲＡＣＨ：Ｒａｎｄｏｍ  Ａｃｃｅｓｓ  Ｃｈａｎｎｅｌ）処理を用い、ＭＳＧ３−ベース／専用ＲＲＣ信号−ベースのオン−デマンドＳＩ要求はＲＲＣ信号を用いる。ＣＵ／ＤＵ（Ｃｅｎｔｒａｌｉｚｅｄ  Ｕｎｉｔ／Ｄｉｓｔｒｉｂｕｔｅｄ  Ｕｎｉｔ）の分離無しに通常の完全なｇＮＢのため、ｇＮＢが、ユーザ機器からのオン−デマンドＳＩ要求を処理すること、及び、ユーザ機器への応答を生成することに責任がある。しかしながら、ＣＵ／ＤＵのケースにおいて、ＰＤＣＰ（Ｐａｃｋｅｔ  Ｄａｔａ  Ｃｏｎｖｅｒｇｅｎｃｅ  Ｐｒｏｔｏｃｏｌ）及び上位の層はＣＵに位置しており、無線リンク制御（ＲＬＣ：Ｒａｄｉｏ  Ｌｉｎｋ  Ｃｏｎｔｒｏｌ）及び下位の層はＤＵに位置している。その様なケースにおいて、直近のＲＡＮ３会議においてＲＡＮ３は下記の合意が持たれ、ＬＳはＲＡＮ２＃１００へ送られた。
【００３０】
ｇＮＢ−ＤＵは、ＮＲ−ＭＩＢ及びＲＭＳＩメッセージの符号化に責任がある。
【００３１】
ｇＮＢ−ＣＵは、他のＳＩメッセージの符号化に責任がある。
【００３２】
本実施形態における他のＳＩとは、ＮＲ−ＭＩＢ及びＲＭＳＩ以外のシステム情報を意味しており、他のＳＩはＳＩＢ１乃至ＳＩＢ１１の少なくとも１つを含んでいることに留意されたい。
【００３３】
図２は、本開示のいくつかの実施形態に係る情報送信方法のフローチャートを図示している。これらの実施形態における情報送信方法は、基地局に適用され得る。基地局は、限定されることは無いが、５ＧシステムにおけるｇＮＢでもよい。基地局は、ＤＵ及びＣＵを含む。図２に図示されたように、情報送信方法は以下の動作を図示されたブロックにおいて含んでもよい。方法はブロック２０１において開始してもよい。
【００３４】
ブロック２０１において、ＤＵは、端末から目標ＳＩのための第１ＳＩ要求を受信する。
【００３５】
ブロック２０２において、ＤＵは、ＣＵへ第１ＳＩ要求を転送する。
【００３６】
具体的には、ランダムアクセスチャネル（ＲＡＣＨ）処理の間に、ＤＵは、端末から送信されたＭＳＧ１に基づく第１ＳＩ要求を受信する。言い換えると、第１ＳＩ要求はＭＳＧ１に含まれてもよい。ここで、ＭＳＧ１に基づいて送信された第１ＳＩ要求はＭＳＧ１−ベースのオン−デマンドＳＩ要求と呼んでもよい。ＤＵが、端末から送信された第１ＳＩ要求を受信した場合、ＤＵは、ＣＵへ第１ＳＩ要求を転送する。ＣＵは、端末へ要求された目標ＳＩを送信するか否かを決定する。ここで、目標ＳＩは他のＳＩ、すなわち、ＮＲ−ＭＩＢ及びＲＭＳＩ以外のＳＩとも呼べる。
【００３７】
ブロック２０３において、第１ＳＩ要求の受信時に、ＣＵは、要求された目標ＳＩを端末へ送信するか否かの第１インジケーションを送信する。
【００３８】
ブロック２０４において、ＤＵは、第１インジケーションに基づいて第１ＳＩ要求応答を生成する、及び、
ブロック２０５において、ＤＵは、第１ＳＩ要求応答を端末に送信する。
【００３９】
具体的には、ＤＵにより生成された第１ＳＩ要求応答は、ＭＡＣメッセージでもよい。ＲＡＣＨ処理の間、ＤＵは、第２メッセージ（ＭＳＧ２）において、端末に第１ＳＩ要求応答を受信する。ここで、ＭＳＧ２に基づいて送信された第１ＳＩ要求応答は、ＭＳＧ２−ベースのオン−デマンドＳＩ要求応答と呼んでもよい。
【００４０】
本開示の実施形態は、図３と関連してさらに詳細に説明されるであろう。図３に図示されているように、ＤＵ３２が、ＲＡＣＨ処理に基づいたＭＳＧ−１ベースのオン−デマンドＳＩ要求３０１をユーザ機器３１から受信した場合、ＤＵ３２は最初に要求３０２をＣＵ３３へ転送する。それからＣＵ３３は、要求された他のＳＩが送信可能か否かを示す、応答３０３をＤＵへ送信する。そして、ＤＵ３２はＭＡＣ  ＲＡＲメッセージ３０４をユーザ機器３１へエンコードする。これは、要求された他のＳＩメッセージを配信するか否かを、ＣＵが担当することを保証する。
【００４１】
しかしながら、ＣＵとＤＵの間には追加的な待ち時間があり、ユーザ機器は応答のため待機する必要がある。ユーザ機器の進行中のサービスのために要求されたＳＩが重要になる場合、すなわち、ＳＩがＶ２Ｘ又は他の重要なサービスのための安全サービスの関連する場合、その様な遅延は望ましくない。
【００４２】
図４は、本開示のいくつかの実施形態に係る他の情報送信方法のフローチャートを図示する。これらの実施形態における情報送信方法は、基地局に適用され得る。基地局は、限定されることは無いが、５ＧシステムにおけるｇＮＢでもよい。基地局は、ＤＵ及びＣＵを含む。図４に図示されたように、情報送信方法は以下の動作を図示されたブロックにおいて含んでもよい。方法はブロック４０１において開始してもよい。
【００４３】
ブロック４０１において、ＤＵは、端末から目標ＳＩのための第１ＳＩ要求を受信する。
【００４４】
ブロック４０２において、ＤＵは、第１構成情報に基づいて要求された目標ＳＩを端末に送信するか否かを決定する。
【００４５】
ブロック４０３において、ＤＵは、前記の決定に基づいて第１ＳＩ要求応答を生成する。
【００４６】
具体的には、ＲＡＣＨ処置の間、ＤＵは、ＭＳＧ１に基づいて、端末により送信された第１ＳＩ要求を受信する。言い換えると、第１ＳＩ要求は、ＭＳＧ１に含まれてもよい。ここで、ＭＳＧ１に基づいて送信された第１ＳＩ要求は、ＭＳＧ１−ベースのオン−デマンドＳＩ要求と呼んでもよい。ここで、ＤＵが、端末により送信された第１ＳＩ要求を受信した場合、ＤＵは、第１ＳＩ要求を、ＣＵへ転送する必要は無い。その代わり、ＤＵは、第１構成情報に基づいて要求された目標ＳＩを端末に送信するか否かを決定する。ここで、第１構成情報は、予め構成された構成情報、又はＣＵからＤＵに同期された構成情報でもよい。この方法で、第１ＳＩ要求の受信時、ＤＵは、どの目標ＳＩが端末へ送信され得るか、どの目標ＳＩが端末へ送信され得ないかを、直ちに決定してもよい。ここで、目標ＳＩは他のＳＩ、すなわち、ＮＲ−ＭＩＢ及びＲＭＳＩ以外のＳＩとも呼べる。
【００４７】
ブロック４０４において、ＤＵは、端末に第１ＳＩ要求応答を送信する。
【００４８】
具体的には、ＤＵにより生成される第１ＳＩ要求応答は、ＭＡＣメッセージでもよい。ＲＡＣＨ処理の間、ＤＵは、第２メッセージ（ＭＳＧ２）において端末に第１ＳＩ要求応答を受信する。ここで、ＭＳＧ２に基づいて送信された第１ＳＩ要求応答は、ＭＳＧ２−ベースのオン−デマンドＳＩ要求応答と呼んでもよい。
【００４９】
さらに、本開示のいくつかの実施形態において、ＤＵが端末へ第１ＳＩ要求応答を送信する一方で、ＤＵは、ＣＵへ第１ＳＩ要求を転送してもよい。第１ＳＩ要求の受信時、ＣＵは、要求された目標ＳＩを端末に送信するか否かを示すための第１インジケーションを送信してもよい。このようにして、ＤＵは、要求された目標ＳＩを端末に送信するか否かに関するＣＵの決定が、ＤＵの決定と同じであることを、さらに保証する。
【００５０】
本開示の実施形態は、図５と関連してさらに詳細に説明されるであろう。図５に図示されているように、ＤＵ５２が、ＲＡＣＨ処理に基づいたＭＳＧ−１ベースのオンデマンドＳＩ要求をユーザ機器５１から受信５０２した場合には、予めの構成により、ＤＵはどの他のＳＩが配信され得るか既に知っており、それ故、ＣＵ５３からの応答を待つ必要が無く、要求された他のＳＩが配信され得るならば、ＤＵ５２は最初にユーザ機器５１に応答５０３をする。これは、どの他のＳＩがユーザ機器５１に配信され得るかに関して、ＣＵ５３及びＤＵ５２が同期５０１されることが要求される。
【００５１】
いくつかの実施形態において、ＤＵ５１はユーザ機器５１及びＣＵ５３に同時にＲＡＲを送信５０４してもよく、ＣＵ５０３は、他の特定のＳＩが配信されることを、ＤＵ５１へ通知５０５する。しかしながら、方法は動作５０４及び５０５とともに、又は無しで実行し得ることに留意されたい。言い換えると、動作５０４及び５０５は、方法の実行のためには必須ではない。
【００５２】
図２乃至５に関連して説明される実施形態は、背景技術における課題を解決し得て、図４及び５に関連して説明される実施形態は、ユーザ機器がＲＡＲ応答の受信のための遅延を縮小し得る。そのため、ユーザ機器は最も早い使用可能なＳＩウィンドーにおいて、関係する他のＳＩの受信のための準備をし得る。実施形態における遅延の増加が、ユーザ機器の１つのＳＩの周期性についての見逃しを招くケースにおいては、ゲインはさらに考慮されるべきであろう。
【００５３】
上記の実施形態は、どの様にＭＡＣ及びＲＲＣが、オン−デマンドＳＩ要求への応答に相互作用するかを説明している。追加として、Ｆ１インタフェースを介したＣＵとＤＵの間の相互作用を議論した。
【００５４】
図６は、本開示のいくつかの実施形態に係る情報送信装置のブロック図を図示する。図６において図示されているように、情報送信装置はＤＵ６１０及びＣＵ６２０を含む。
【００５５】
ＤＵ６１０は、端末から目標システム情報（ＳＩ：Ｓｙｓｔｅｍ  Ｉｎｆｏｒｍａｔｉｏｎ）のための第１ＳＩ要求を受信するように構成されてもよく、ＣＵ６２０へ第１ＳＩ要求を転送してもよい。
【００５６】
ＣＵ６２０は、第１ＳＩ要求の受信時に、要求された目標ＳＩを端末に送信するか否かの第１インジケーションを送信するように構成されてもよい。
【００５７】
ＤＵ６１０は、第１インジケーションに基づいて、第１ＳＩ要求応答を生成するように、且つ、第１ＳＩ要求応答を端末に送信するようにさらに構成されてもよい。
【００５８】
実施形態において、ランダムアクセスチャネル（ＲＡＣＨ：Ｒａｎｄｏｍ  Ａｃｃｅｓｓ  Ｃｈａｎｎｅｌ）処理の間、ＤＵ６１０は、第１メッセージ（ＭＳＧ１）において端末により送信される第１ＳＩ要求を受信するように構成されてもよい。
【００５９】
実施形態において、ＤＵにより生成される第１ＳＩ要求応答は、媒体アクセス制御（ＭＡＣ：Ｍｅｄｉａ  Ａｃｃｅｓｓ  Ｃｏｎｔｒｏｌ）メッセージでもよい。
【００６０】
実施形態において、ＲＡＣＨ処理の間に、ＤＵ６１０は、第２メッセージ（ＭＳＧ２）において端末に第１ＳＩ要求応答を送信するように構成されてもよい。
【００６１】
当業者は、本開示の上記の実施形態における情報送信装置の関連性のある説明は、本開示の実施形態に係る情報送信方法の関連性のある説明に照らして理解されるであろうことを認識できる。
【００６２】
図７は、本開示のいくつかの実施形態に係る他の情報送信装置のブロック図を図示する。図７に図示されているように、情報送信装置はＤＵ７１０を含む。
【００６３】
ＤＵ７１０は、端末から目標システム情報（ＳＩ）のための第１ＳＩ要求を受信するように、第１構成情報に基づいて要求された目標ＳＩを端末へ送信するか否かを決定するように、前記の決定に基づいて第１ＳＩ要求応答を生成するように、及び第１ＳＩ要求応答を端末へ送信するように構成されている。
【００６４】
実施形態においては、第１構成情報は、どの目標ＳＩが端末へ送信され得るか、及び／又は、端末へ送信され得ないかを決定するように構成されてもよい。
【００６５】
第１構成情報は、予め構成された構成情報、又はＣＵ７２０からＤＵ７１０に同期された構成情報でもよい。
【００６６】
実施形態においては、装置はさらにＣＵ７２０を含んでもよい。
【００６７】
この実施形態においては、端末へ第１ＳＩ要求応答を送信する一方で、ＤＵ７１０は、第１ＳＩ要求をＣＵ７２０に転送するように構成されてもよい。ＤＵ７１０は、第１ＳＩ要求の受信時に、端末へ要求された目標ＳＩを送信するか否かを示すための第１インジケーションを送信するように構成されてもよい。
【００６８】
実施形態においては、ＲＡＣＨ処理の間、ＤＵ７１０は、第１メッセージ（ＭＳＧ１）において端末により送信された第１ＳＩ要求を受信するように構成されてもよい。
【００６９】
実施形態においては、ＤＵにより生成される第１ＳＩ要求応答はＭＡＣメッセージでもよい。
【００７０】
実施形態においては、ＲＡＣＨ処理の間、ＤＵ７１０は、第２メッセージ（ＭＳＧ２）において端末に第１ＳＩ要求応答を送信するように構成されてもよい。
【００７１】
当業者は、本開示の上記の実施形態における情報送信装置の関連性のある説明は、本開示の実施形態に係る情報送信方法の関連性のある説明に照らして理解されるであろうことを認識できる。
【００７２】
図８は、本開示のいくつかの実施形態に係るネットワークデバイス８００の概略ブロック図を図示する。ネットワークデバイス８００は、プロセッサ８１０及びメモリ８２０を含む。コンピュータプログラムはメモリ８２０に格納されている。コンピュータプログラムは、プロセッサ８１０により実行された場合、プロセスに上記の方法の１つを実行させる。
【００７３】
実施形態においては、メモリ８２０はプロセッサ８１０から独立しているデバイスでもよく、又はプロセッサ８１０に統合されていてもよい。
【００７４】
ネットワークデバイス８００は、トランシーバ８３０を含んでもよい。プロセッサ８１０は、トランシーバ８３０を介して他のデバイスと通信してもよく、例えば、他のデバイスからの情報若しくはデータを受信してもよく、又は、他のデバイスに情報若しくはデータを送信してもよい。
【００７５】
トランシーバ８３０は、送信機及び受信機を含んでもよい。トランシーバ８３０は、さらに１つ又は複数のアンテナを含んでもよい。
【００７６】
ネットワークデバイス８００は、上記の様なネットワークデバイス、及び上記の様なネットワークデバイスによって実行される処理のうちの１つを実行するように構成されてもよい。具体的な処理は簡単のためにここでは詳述しない。
【００７７】
図９は、本開示のいくつかの実施形態に係るチップの概略ブロック図を図示する。チップ８００は、プロセッサ８１０を含んでもよく、プロセッサはメモリからコンピュータプログラムを呼び出して上記の方法を実行してもよい。
【００７８】
実施形態において、チップ８００はメモリ８２０を含んでもよい。プロセッサ８１０は、メモリ８２０からコンピュータプログラムを呼び出して上記の方法を実行してもよい。
【００７９】
実施形態において、メモリ８２０はプロセッサ７１０から独立したデバイスでもよく、又はプロセッサ７１０に統合されていてもよい。
【００８０】
実施形態において、チップ７００はインプットインタフェース７３０をさらに含んでもよい。プロセッサ７１０は、インプットインタフェース７３０を制御して、他のデバイス又はチップと通信を実行してもよく、例えば、他のデバイス又はチップから情報又はデータを取得してもよい。
【００８１】
実施形態において、チップはアウトプットインタフェース７４０をさらに含んでもよい。プロセッサ７１０は、インプットインタフェース７３０を制御して、他のデバイス又はチップと通信を実行してもよく、例えば、他のデバイス又はチップへ情報又はデータを送信してもよい。
【００８２】
実施形態において、チップは、上記のネットワークデバイスに適用されてもよい。チップは、上記のネットワークデバイスにより実行された処理を実行してもよい。具体的な処理は簡単のためにここでは詳述しない。
【００８３】
実施形態において、チップは、上記のターミナルデバイスに適用されてもよい。チップは、上記のターミナルデバイスにより実行された処理を実行してもよい。具体的な処理は簡単のためにここでは詳述しない。
【００８４】
ここでチップは、システムレベルチップ、システムチップ、チップシステム又はシステムオンチップと呼ばれるであろうチップを意味していることに留意されたい。
【００８５】
図１０は、本開示のいくつかの実施形態に係る通信システム１０００の概略ブロック図を図示する。図１０で図示されているように、通信システムはターミナルデバイス１０１０及びネットワークデバイス１０２０を含む。
【００８６】
ターミナルデバイス１０１０は、上記の方法において記述されたターミナルデバイスの機能を実行するように構成されてもよい。ネットワークデバイス１０２０は、上記の方法において記述されたターミナルデバイスの機能を実行するように構成されてもよい。
【００８７】
本開示のいくつかの実施形態において、コンピュータプログラムを格納しているコンピュータ可読記憶媒体が提供される。
【００８８】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００８９】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９０】
本開示のいくつかの実施形態において、コンピュータプログラムを含んでいる、コンピュータプログラム製品が提供される。
【００９１】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００９２】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９３】
本開示のいくつかの実施形態において、コンピュータプログラムが提供される。
【００９４】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００９５】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９６】
プロセッサは、ここではシングルプロセッシング機能を持つＩＣチップ（ＩＣ：Ｉｎｔｅｇｒａｔｅｄ  Ｃｉｒｃｕｉｔ）でもよいことが理解されるべきである。上記の方法において記載された動作は、プロセッサにおけるハードウェア論理回路又はソフトウェア指令により、実行されてもよい。プロセッサは、汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらに類するプロセッサでもよい。
【００９７】
当業者は、本開示の実施形態において図示された装置におけるユニットの機能が、情報送信方法に関する上記の関連する記載に基づいて理解し得て、及びプロセッサを実行させるプログラム又は論理回路により実行され得ることを認識するであろう。装置におけるユニットの機能は、プロセッサにおいて実行されるプログラムによって又は特定論理回路によって、実行されてもよい。
【００９８】
上述のメモリは、Ｕディスク、モバイルハードディスク、読み取り専用メモリ（ＲＯＭ：Ｒｅａｄ−Ｏｎｌｙ  Ｄｉｓｋ）、ランダムアクセスメモリ（ＲＡＭ：Ｒａｎｄｏｍ  Ａｃｃｅｓｓ  Ｍｅｍｏｒｙ）、磁気ディスク、又は光学ディスクなど、プログラムコードを格納する能力がある様々な媒体を含んでもよい。したがって、本開示の実施形態はソフトウェア及びハードウェアの、どの特定組合せに限定されない。
【００９９】
本開示の実施形態は、競合することなく互いに自由に組合せてもよい。
【０１００】
応用例で提供されるいくつかの実施形態において、開示されたシステム、デバイス、及び方法は他の形態で実現されてもよいことが理解されるべきである。例えば、上記のデバイスの実施形態は、単に例示であり、例えば、ユニットの分離は論理機能の分離のみである。他の分離の形態が実際に採用されてもよく、例えば、複数のユニット又は構成は、他のシステムにおいて組合せ又は統合されてもよく、又は、いくつかの特徴は省略され若しくは実行されなくてもよい。他の観点からでは、表示され又は議論された、相互結合、又は直接結合、又は通信結合は、いくつかのインタフェースを通じたデバイス又はユニットの間接結合又は通信結合でもよく、電気的、機械的又は他の形式でもよい。
【０１０１】
分離した構成要素として図示されたユニットは、物理的に分離されてもよく、されてなくてもよい。ユニットとして表示された構成要素は、物理ユニットでもよく、でなくてもよい。すなわち、構成要素は１つの場所に位置してもよく、又は複数のネットワークユニットに分散されてもよい。実施形態における解決の目的は、実際のニーズに係る一部の又は全てのユニットを選択することにより、実現されてもよい。
【０１０２】
加えて、本開示の様々な実施形態において、機能ユニットは１つのプロセッシングユニットに統合されてもよく、又は、機能ユニットは別個に物理的に存在してもよく、又は２つ以上のユニットが１つのユニットに統合されてもよい。統合されたユニットは、ハードウェアによって、又は、ハードウェア並びにソフトウェアの機能ユニットによって実行されてもよい。
【０１０３】
上記は本開示の具体的な実施形態のみであり、本開示の保護の範囲を限定することを意図していない。本開示によって開示された技術的範囲において、当業者にとって明らかなあらゆる変形又は置換は、本開示の保護の範囲内に含まれるべきである。
【図１】
2021504993.tif 000003
【図２】
2021504993.tif 000004
【図３】
2021504993.tif 000005
【図４】
2021504993.tif 000006
【図５】
2021504993.tif 000007
【図６】
2021504993.tif 000008
【図７】
2021504993.tif 000009
【図８】
2021504993.tif 000010
【図９】
2021504993.tif 000011
【図１０】
2021504993.tif 000012
【手続補正書】
【提出日】令和2年5月27日(2020.5.27)
【手続補正１】
【補正対象書類名】明細書
【補正対象項目名】全文
【補正方法】変更
【補正の内容】
【発明の詳細な説明】
【関連出願】
【０００１】
本出願は、２０１７年１１月２７日に出願された米国仮出願番号第６２／５９０，９９５号の利益を主張し、その内容はその全てについて参照して本明細書に組み込まれる。
【技術分野】
【０００２】
本開示は、移動通信の技術分野に関連し、具体的には、情報送信方法及び装置、並びにネットワークデバイスに関連する。
【背景技術】
【０００３】
ＬＴＥ（Ｌｏｎｇ  Ｔｅｒｍ  Ｅｖｏｌｕｔｉｏｎ）通信システムにおいて、ｅＮＢ（ｅｖｏｌｖｅｄ  ＮｏｄｅＢ）は、ＳＩＢｓ（Ｓｙｓｔｅｍ  Ｉｎｆｏｒｍａｔｉｏｎ  Ｂｌｏｃｋｓ）が配信されるように構成し、ユーザ機器（ＵＥ：Ｕｓｅｒ  Ｅｑｕｉｐｍｅｎｔ）は、下りリンク同期がなされた後にＳＩＢｓを受信する。しかしながら、多すぎるＳＩＢｓを配信することは、物理下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）及び物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のいずれにおいても、極めて多くの下りリンク無線リソースを占有するであろう。
【発明の概要】
【０００４】
本開示の実施形態は、情報送信方法及び装置、ネットワークデバイス、チップ、コンピュータ可読記憶媒体、コンピュータプログラム製品、並びにコンピュータプログラムを提供する。
【０００５】
第１の観点では、情報送信方法が提供される。方法は以下の動作を含む。分散ユニット（ＤＵ：Ｄｉｓｔｒｉｂｕｔｅｄ  Ｕｎｉｔ）は、端末から目標システム情報（ＳＩ：Ｓｙｓｔｅｍ  Ｉｎｆｏｒｍａｔｉｏｎ）のための、第１ＳＩ要求を受信する。ＤＵは、第１構成情報に基づいて要求された目標ＳＩを端末に送信するか否かを決定し、第１構成情報は、どの目標ＳＩが端末に送信され得るか、どの目標ＳＩが端末に送信され得ないか、の少なくともいずれか１つを決定するように設定されている。ＤＵは、前記の決定に基づいて第１ＳＩ要求応答を生成する。ＤＵは、第１ＳＩ要求応答を端末に送信する。
【０００６】
第１の観点における方法によると、オン−デマンドのＳＩ要求の受信時に、ＤＵは、中央ユニット（ＣＵ：Ｃｅｎｔｒａｌｉｚｅｄ  Ｕｎｉｔ）の応答を待たずに、ユーザ機器へ、ランダムアクセス応答（ＲＡＲ：Ｒａｎｄｏｍ  Ａｃｃｅｓｓ  Ｒｅｓｐｏｎｓｅ）を含んでいる応答をより早く送信し得る。したがって、オン−デマンドのＳＩ要求への応答の遅延を縮小し得る可能性がある。遅延の増加が、ユーザ機器の１つのＳＩの周期性についての見逃しを招く場合、ゲインはさらに考慮されるべきであろう。
【０００７】
第２の観点では、情報送信方法が提供される。方法は以下の動作を含む。分散ユニット（ＤＵ）は、端末から目標システム情報（ＳＩ）のための第１ＳＩ要求を受信し、中央ユニット（ＣＵ）へ第１ＳＩ要求を転送する。第１ＳＩ要求の受信時に、ＣＵは、要求された目標ＳＩを端末へ送信するか否かの第１インジケーションを送信する。ＤＵは、第１インジケーションに基づいて第１ＳＩ要求応答を生成し、第１ＳＩ要求応答を端末へ送信する。
【０００８】
第２の観点における方法によると、ＣＵは要求された他のＳＩメッセージを配信するか否かを担当する。したがって、端末が、端末へ送信され得る要求された目標ＳＩを、受信し得ることを保証する。
【０００９】
第３の観点では、情報送信装置が提供される。装置は分散ユニット（ＤＵ）を含む。ＤＵは、端末から目標システム情報（ＳＩ）のための第１ＳＩ要求を受信するように構成され、第１構成情報に基づいて要求された目標ＳＩを端末に送信するか否かを決定し、前記の決定に基づいて第１ＳＩ要求応答を生成し、第１ＳＩ要求応答を端末に送信する。第１構成情報は、どの目標ＳＩが端末に送信され得るか、どの目標ＳＩが端末に送信され得ないか、の少なくともいずれか１つを決定するように構成される。
【００１０】
第４の観点では、情報送信装置が提供される。装置は、分散ユニット（ＤＵ）及び中央ユニット（ＣＵ）を含む。ＤＵは、端末から目標システム情報（ＳＩ）のための、第１ＳＩ要求を受信するように、ＣＵへ第ＳＩ要求を転送するように構成される。ＣＵは第１ＳＩ要求の受信時に、端末へ要求された目標ＳＩを送信するか否かの第１インジケーションを送信するように構成される。ＤＵは、第１インジケーションに基づいて第１ＳＩ要求応答を生成するように、第１ＳＩ要求応答を端末に送信するように、さらに構成される。
【００１１】
第５の観点では、ネットワークデバイスが提供される。ネットワークデバイスは、プロセッサとメモリを含む。メモリはコンピュータプログラムを格納し、コンピュータプログラムがプロセッサにより実行された場合、プロセッサに第１の観点において記載した方法、又は、第２の観点において記載した方法を実行させる。
【００１２】
第６の観点では、チップが提供される。チップはプロセッサを含む。プロセッサは、メモリからコンピュータプログラムを呼び出し、コンピュータプログラムを実行させ、チップをインストールする端末が、第１の観点において記載した方法、又は、第２の観点において記載した方法を実行することを可能とする。
【００１３】
第７の観点では、コンピュータ可読記憶媒体が提供される。コンピュータ可読記憶媒体はコンピュータ可読指令を格納し、コンピュータ可読指令はプロセッサにより実行された場合、プロセッサに第１の観点において記載した方法、又は、第２の観点において記載した方法を実行させる。
【００１４】
第８の観点では、コンピュータプログラム製品が提供される。コンピュータプログラム製品は、コンピュータ可読指令を含む。コンピュータ可読指令はプロセッサにより実行された場合、プロセッサに第１の観点において記載した方法、又は、第２の観点において記載した方法を実行させる。
【００１５】
第９の観点では、コンピュータプログラムが提供される。コンピュータプログラムは、プロセッサにより実行された場合、プロセッサに第１の観点において記載した方法、又は、第２の観点において記載した方法を実行させる。
【図面の簡単な説明】
【００１６】
【図１】図１は、本開示のいくつかの実施形態に係る通信システムの構成の概略図を図示する。
【図２】図２は、本開示のいくつかの実施形態に係る情報送信方法のフローチャートを図示する。
【図３】図３は、本開示のいくつかの実施形態に係る情報送信方法の相互作用フローチャートを図示する。
【図４】図４は、本開示のいくつかの実施形態に係る他の情報送信方法のフローチャートを図示する。
【図５】図５は、本開示のいくつかの実施形態に係る他の情報送信方法の相互作用フローチャートを図示する。
【図６】図６は、本開示のいくつかの実施形態に係る情報送信装置のブロック図を図示する。
【図７】図７は、本開示のいくつかの実施形態に係る他の情報送信装置のブロック図を図示する。
【図８】図８は、本開示のいくつかの実施形態に係るネットワークデバイスの概略ブロック図を図示する。
【図９】図９は、本開示のいくつかの実施形態に係るチップの概略ブロック図を図示する。
【図１０】図１０は、本開示のいくつかの実施形態に係る通信システムの概略ブロック図を図示する。
【発明の詳細な説明】
【００１７】
以下は、本開示の実施形態における付随する図を基準として、本開示の実施形態における技術的解決を、明確且つ完全に記述する。明らかに、記述された実施形態は、本開示の実施形態における全てではなく、むしろ単に一部である。創造的な努力無しに、本開示の実施形態に基づいて当業者により取得される他の全ての実施形態は、本開示の保護範囲の中に含まれるべきである。
【００１８】
以下に記載された本開示の実施形態は、様々な通信システムに応用され得る。例えば、ＧＳＭ（Ｇｌｏｂａｌ  Ｓｙｓｔｅｍ  ｏｆ  Ｍｏｂｉｌｅ  Ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＦＤＤ（ＬＴＥ  Ｆｒｅｑｕｅｎｃｙ  Ｄｉｖｉｓｉｏｎ  Ｄｕｐｌｅｘ）システム、ＴＤＤ（ＬＴＥ  Ｔｉｍｅ  Ｄｉｖｉｓｉｏｎ  Ｄｕｐｌｅｘ）システム、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）システム、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、５Ｇシステム、又は、それらに類する通信システムなどである。
【００１９】
ここで文章中における、“システム”及び“ネットワーク”という用語は、交換し得ると理解されるべきである。文書中における、“及び／又は”という用語は、単に関連する物の間の関連を記述し、３つの種類の関連性を示す。例えば、Ａ及び／又はＢとは、Ａ単独で存在する、Ａ及びＢが共存する、又はＢ単独で存在する、を示してもよい。加えて、文章中における“／”という符号は、原則、関連する物が“又は”の関係にあることを示す。
【００２０】
図１は、本開示の実施形態において適応される通信システム１００の概略図である。無線通信システム１００は、少なくとも１つのネットワークデバイス１１０を含んでよい。アクセスネットワークデバイス１００は、ターミナルデバイス１２０（又は通信端末と呼ばれる、端末）と通信するデバイスでもよい。それぞれのアクセスネットワークデバイス１００は、特定の地理的領域のための通信範囲を提供してもよく、その範囲内にてターミナルデバイスと通信してもよい。ネットワークデバイス１００は、ＧＳＭシステム又はＣＤＭＡ（Ｃｏｄｅ  Ｄｉｖｉｓｉｏｎ  Ｍｕｌｔｉｐｌｅ  Ａｃｃｅｓｓ）システムにおける、ＢＴＳ（Ｂａｓｅ  Ｔｒａｎｓｃｅｉｖｅｒ  Ｓｔａｔｉｏｎ）でもよく、又は、ＷＣＤＭＡシステムにおけるＮＢ（ＮｏｄｅＢ）でもよく、又は、ＬＴＥシステムにおけるｅＮＢ又はｅＮｏｄｅＢ（Ｅｖｏｌｕｔｉｏｎａｌ  ＮｏｄｅＢ）でもよく、ＣＲＡＮ（Ｃｌｏｕｄ  Ｒａｄｉｏ  Ａｃｃｅｓｓ  Ｎｅｔｗｏｒｋ）におけるラジオコントローラでもよい。あるいは、ネットワークデバイスは、リレー局、アクセスポイント、車載デバイス、ウェアラブルデバイス、５Ｇネットワークにおけるコアネットワークデバイス、ＰＬＭＮ（ｆｕｔｕｒｅ  ｅｖｏｌｖｅｄ  Ｐｕｂｌｉｃ  Ｌａｎｄ  Ｍｏｂｉｌｅ  Ｎｅｔｗｏｒｋ）におけるネットワークデバイス、又は、それらに類するデバイスなどでもよい。
【００２１】
通信システム１００は、ネットワーク機器１１０の範囲内において、さらに複数のターミナルデバイス１２０を含んでもよい。ターミナルデバイス１２０は、移動式でも固定式でもよい。それぞれのターミナルデバイス１２０は、アクセスターミナル、ユーザ機器（ＵＥ：Ｕｓｅｒ  Ｅｑｕｉｐｍｅｎｔ）、加入者ユニット、加入者ステーション、モバイルステーション、モバイルプラットフォーム、リモートステーション、リモートターミナル、モバイルデバイス、ユーザターミナル、ターミナル、無線通信デバイス、ユーザエージェント、又は、ユーザデバイスでもよい。アクセスターミナルは、携帯電話、コードレス電話、ＳＩＰ（Ｓｅｓｓｉｏｎ  Ｉｎｔｉａｔｉｏｎ  Ｐｒｏｔｏｃｏｌ）電話、ＷＬＬ（Ｗｉｒｅｌｅｓｓ  Ｌｏｃａｌ  Ｌｏｏｐ）ステーション、ＰＤＡ（Ｐｅｒｓｏｎａｌ  Ｄｉｇｉｔａｌ  Ａｓｓｉｓｔａｎｔ）、無線通信機能を持つハンドヘルドデバイス、コンピューティングデバイス、又は、無線モデムに接続された他の任意のプロセッシングデバイス、車載デバイス、ウェアラブルデバイス、将来の５Ｇネットワークにおけるターミナルデバイス、ＰＬＭＮにおけるターミナルデバイス、又は、それらに類するデバイスなどでよい。
【００２２】
ターミナルデバイス１２０は、例えばＤ２Ｄ（Ｄｅｖｉｃｅ  ｔｏ  Ｄｅｖｉｃｅ）直接接続を通して、互いに通信してもよい。
【００２３】
５Ｇシステム又は５Ｇネットワークは、ＮＲ（Ｎｅｗ  Ｒａｄｉｏ）システム又はＮＲネットワークと呼ばれてもよい。
【００２４】
図１は、ネットワークデバイスと２つのターミナルデバイスを図示する。もちろん、通信システム１００は、複数のネットワークデバイス１１０、及びそれぞれのネットワークデバイスの範囲内におけるいくつかのターミナルデバイスを含んでもよいことが理解されるべきである。ネットワークデバイスの数及びターミナルデバイスの数は、本開示の実施形態においては限定されない。
【００２５】
通信システム１００は、ネットワークコントローラ、モバイルマネジメントエンティティ、及び他のネットワークエンティティをさらに含んでもよく、それらはここで限定されない。
【００２６】
当業者は、本開示の実施形態において、ネットワーク／システムにおいて通信機能を持つデバイスをターミナルデバイスと呼んでもよいことを理解し得る。図１において図示されている通信システム１００を例として取り扱うとすれば、ターミナルデバイスは、ネットワークデバイス１１０とターミナルデバイス１２０を含んでもよく、それぞれが通信機能を持つ。ターミナルデバイスは、通信システム１００においてさらに他のデバイスを含んでもよく、例えば、ネットワークコントローラ、モバイルマネジメントエンティティ、及び他のネットワークエンティティであり、それらはここで限定されない。
【００２７】
ＰＤＣＣＨ及びＰＤＳＣＨの両方において、極めて多くの下りリンク無線リソースを占有するであろう多すぎるＳＩＢｓの配信を避けるために、オン−デマンドＳＩメカニズムが導入され、ＭＳＧ１−ベース、ＭＳＧ２−ベース、及び専用ＲＲＣ信号ベースのアプローチを含む様々な手法が議論されている。
【００２８】
次世代ＮｏｄｅＢ（ｇＮＢ）において、分散ユニット（ＤＵ）がＭＳＧ１−ベースのオン−デマンドＳＩ要求を受信した場合、曖昧さの問題が存在する。一方で、媒体アクセス制御（ＭＡＣ：Ｍｅｄｉａ  Ａｃｃｅｓｓ  Ｃｏｎｔｒｏｌ）層において、ＭＳＧ１−ベースのオン−デマンドＳＩ要求が処理され、ＤＵはＭＳＧ２を応答として符号化できる（ランダムアクセス応答（ＲＡＲ：Ｒａｎｄｏｍ  Ａｃｃｅｓｓ  Ｒｅｓｐｏｎｓｅ）を用いて）。この観点から、無線リソース制御（ＲＲＣ：Ｒａｄｉｏ  Ｒｅｓｏｕｒｃｅ  Ｃｏｎｔｒｏｌ）層の関与無しに、ＤＵはユーザ機器とともにＲＡＲ（ＭＳＧ２）を送り得る。他方では、他のＳＩのための、中央ユニット（ＣＵ）により符号化された要求がある。したがって、ＤＵにおける無線リソース制御（ＲＲＣ）層が関与してもよい。
【００２９】
オン−デマンドＳＩメカニズムのため、ＭＳＧ１−ベースのオン−デマンドＳＩ要求はランダムアクセスチャネル（ＲＡＣＨ：Ｒａｎｄｏｍ  Ａｃｃｅｓｓ  Ｃｈａｎｎｅｌ）処理を用い、ＭＳＧ３−ベース／専用ＲＲＣ信号−ベースのオン−デマンドＳＩ要求はＲＲＣ信号を用いる。ＣＵ／ＤＵ（Ｃｅｎｔｒａｌｉｚｅｄ  Ｕｎｉｔ／Ｄｉｓｔｒｉｂｕｔｅｄ  Ｕｎｉｔ）の分離無しに通常の完全なｇＮＢのため、ｇＮＢが、ユーザ機器からのオン−デマンドＳＩ要求を処理すること、及び、ユーザ機器への応答を生成することに責任がある。しかしながら、ＣＵ／ＤＵのケースにおいて、ＰＤＣＰ（Ｐａｃｋｅｔ  Ｄａｔａ  Ｃｏｎｖｅｒｇｅｎｃｅ  Ｐｒｏｔｏｃｏｌ）及び上位の層はＣＵに位置しており、無線リンク制御（ＲＬＣ：Ｒａｄｉｏ  Ｌｉｎｋ  Ｃｏｎｔｒｏｌ）及び下位の層はＤＵに位置している。その様なケースにおいて、直近のＲＡＮ３会議においてＲＡＮ３は下記の合意が持たれ、ＬＳはＲＡＮ２＃１００へ送られた。
【００３０】
ｇＮＢ−ＤＵは、ＮＲ−ＭＩＢ及びＲＭＳＩメッセージの符号化に責任がある。
【００３１】
ｇＮＢ−ＣＵは、他のＳＩメッセージの符号化に責任がある。
【００３２】
本実施形態における他のＳＩとは、ＮＲ−ＭＩＢ及びＲＭＳＩ以外のシステム情報を意味しており、他のＳＩはＳＩＢ１乃至ＳＩＢ１１の少なくとも１つを含んでいることに留意されたい。
【００３３】
図２は、本開示のいくつかの実施形態に係る情報送信方法のフローチャートを図示している。これらの実施形態における情報送信方法は、基地局に適用され得る。基地局は、限定されることは無いが、５ＧシステムにおけるｇＮＢでもよい。基地局は、ＤＵ及びＣＵを含む。図２に図示されたように、情報送信方法は以下の動作を図示されたブロックにおいて含んでもよい。方法はブロック２０１において開始してもよい。
【００３４】
ブロック２０１において、ＤＵは、端末から目標ＳＩのための第１ＳＩ要求を受信する。
【００３５】
ブロック２０２において、ＤＵは、ＣＵへ第１ＳＩ要求を転送する。
【００３６】
具体的には、ランダムアクセスチャネル（ＲＡＣＨ）処理の間に、ＤＵは、端末から送信されたＭＳＧ１に基づく第１ＳＩ要求を受信する。言い換えると、第１ＳＩ要求はＭＳＧ１に含まれてもよい。ここで、ＭＳＧ１に基づいて送信された第１ＳＩ要求はＭＳＧ１−ベースのオン−デマンドＳＩ要求と呼んでもよい。ＤＵが、端末から送信された第１ＳＩ要求を受信した場合、ＤＵは、ＣＵへ第１ＳＩ要求を転送する。ＣＵは、端末へ要求された目標ＳＩを送信するか否かを決定する。ここで、目標ＳＩは他のＳＩ、すなわち、ＮＲ−ＭＩＢ及びＲＭＳＩ以外のＳＩとも呼べる。
【００３７】
ブロック２０３において、第１ＳＩ要求の受信時に、ＣＵは、要求された目標ＳＩを端末へ送信するか否かの第１インジケーションを送信する。
【００３８】
ブロック２０４において、ＤＵは、第１インジケーションに基づいて第１ＳＩ要求応答を生成する、及び、
ブロック２０５において、ＤＵは、第１ＳＩ要求応答を端末に送信する。
【００３９】
具体的には、ＤＵにより生成された第１ＳＩ要求応答は、ＭＡＣメッセージでもよい。ＲＡＣＨ処理の間、ＤＵは、第２メッセージ（ＭＳＧ２）において、端末に第１ＳＩ要求応答を送信する。ここで、ＭＳＧ２に基づいて送信された第１ＳＩ要求応答は、ＭＳＧ２−ベースのオン−デマンドＳＩ要求応答と呼んでもよい。
【００４０】
本開示の実施形態は、図３と関連してさらに詳細に説明されるであろう。図３に図示されているように、ＤＵ３２が、ＲＡＣＨ処理に基づいたＭＳＧ−１ベースのオン−デマンドＳＩ要求３０１をユーザ機器３１から受信した場合、ＤＵ３２は最初に要求３０２をＣＵ３３へ転送する。それからＣＵ３３は、要求された他のＳＩが送信可能か否かを示す、応答３０３をＤＵへ送信する。そして、ＤＵ３２はＭＡＣ  ＲＡＲメッセージ３０４をユーザ機器３１へエンコードする。これは、要求された他のＳＩメッセージを配信するか否かを、ＣＵが担当することを保証する。
【００４１】
しかしながら、ＣＵとＤＵの間には追加的な待ち時間があり、ユーザ機器は応答のため待機する必要がある。ユーザ機器の進行中のサービスのために要求されたＳＩが重要になる場合、すなわち、ＳＩがＶ２Ｘ又は他の重要なサービスのための安全サービスの関連する場合、その様な遅延は望ましくない。
【００４２】
図４は、本開示のいくつかの実施形態に係る他の情報送信方法のフローチャートを図示する。これらの実施形態における情報送信方法は、基地局に適用され得る。基地局は、限定されることは無いが、５ＧシステムにおけるｇＮＢでもよい。基地局は、ＤＵ及びＣＵを含む。図４に図示されたように、情報送信方法は以下の動作を図示されたブロックにおいて含んでもよい。方法はブロック４０１において開始してもよい。
【００４３】
ブロック４０１において、ＤＵは、端末から目標ＳＩのための第１ＳＩ要求を受信する。
【００４４】
ブロック４０２において、ＤＵは、第１構成情報に基づいて要求された目標ＳＩを端末に送信するか否かを決定する。
【００４５】
ブロック４０３において、ＤＵは、前記の決定に基づいて第１ＳＩ要求応答を生成する。
【００４６】
具体的には、ＲＡＣＨ処置の間、ＤＵは、ＭＳＧ１に基づいて、端末により送信された第１ＳＩ要求を受信する。言い換えると、第１ＳＩ要求は、ＭＳＧ１に含まれてもよい。ここで、ＭＳＧ１に基づいて送信された第１ＳＩ要求は、ＭＳＧ１−ベースのオン−デマンドＳＩ要求と呼んでもよい。ここで、ＤＵが、端末により送信された第１ＳＩ要求を受信した場合、ＤＵは、第１ＳＩ要求を、ＣＵへ転送する必要は無い。その代わり、ＤＵは、第１構成情報に基づいて要求された目標ＳＩを端末に送信するか否かを決定する。ここで、第１構成情報は、予め構成された構成情報、又はＣＵからＤＵに同期された構成情報でもよい。この方法で、第１ＳＩ要求の受信時、ＤＵは、どの目標ＳＩが端末へ送信され得るか、どの目標ＳＩが端末へ送信され得ないかを、直ちに決定してもよい。ここで、目標ＳＩは他のＳＩ、すなわち、ＮＲ−ＭＩＢ及びＲＭＳＩ以外のＳＩとも呼べる。
【００４７】
ブロック４０４において、ＤＵは、端末に第１ＳＩ要求応答を送信する。
【００４８】
具体的には、ＤＵにより生成される第１ＳＩ要求応答は、ＭＡＣメッセージでもよい。ＲＡＣＨ処理の間、ＤＵは、第２メッセージ（ＭＳＧ２）において端末に第１ＳＩ要求応答を送信する。ここで、ＭＳＧ２に基づいて送信された第１ＳＩ要求応答は、ＭＳＧ２−ベースのオン−デマンドＳＩ要求応答と呼んでもよい。
【００４９】
さらに、本開示のいくつかの実施形態において、ＤＵが端末へ第１ＳＩ要求応答を送信する一方で、ＤＵは、ＣＵへ第１ＳＩ要求を転送してもよい。第１ＳＩ要求の受信時、ＣＵは、要求された目標ＳＩを端末に送信するか否かを示すための第１インジケーションを送信してもよい。このようにして、ＤＵは、要求された目標ＳＩを端末に送信するか否かに関するＣＵの決定が、ＤＵの決定と同じであることを、さらに保証する。
【００５０】
本開示の実施形態は、図５と関連してさらに詳細に説明されるであろう。図５に図示されているように、ＤＵ５２が、ＲＡＣＨ処理に基づいたＭＳＧ−１ベースのオンデマンドＳＩ要求をユーザ機器５１から受信５０２した場合には、予めの構成により、ＤＵはどの他のＳＩが配信され得るか既に知っており、それ故、ＣＵ５３からの応答を待つ必要が無く、要求された他のＳＩが配信され得るならば、ＤＵ５２は最初にユーザ機器５１に応答５０３をする。これは、どの他のＳＩがユーザ機器５１に配信され得るかに関して、ＣＵ５３及びＤＵ５２が同期５０１されることが要求される。
【００５１】
いくつかの実施形態において、ＤＵ５１はユーザ機器５１及びＣＵ５３に同時にＲＡＲを送信５０４してもよく、ＣＵ５３は、他の特定のＳＩが配信されることを、ＤＵ５１へ通知５０５する。しかしながら、方法は動作５０４及び５０５とともに、又は無しで実行し得ることに留意されたい。言い換えると、動作５０４及び５０５は、方法の実行のためには必須ではない。
【００５２】
図２乃至５に関連して説明される実施形態は、背景技術における課題を解決し得て、図４及び５に関連して説明される実施形態は、ユーザ機器がＲＡＲ応答の受信のための遅延を縮小し得る。そのため、ユーザ機器は最も早い使用可能なＳＩウィンドーにおいて、関係する他のＳＩの受信のための準備をし得る。実施形態における遅延の増加が、ユーザ機器の１つのＳＩの周期性についての見逃しを招くケースにおいては、ゲインはさらに考慮されるべきであろう。
【００５３】
上記の実施形態は、どの様にＭＡＣ及びＲＲＣが、オン−デマンドＳＩ要求への応答に相互作用するかを説明している。追加として、Ｆ１インタフェースを介したＣＵとＤＵの間の相互作用を議論した。
【００５４】
図６は、本開示のいくつかの実施形態に係る情報送信装置６００のブロック図を図示する。図６において図示されているように、情報送信装置６００はＤＵ６１０及びＣＵ６２０を含む。
【００５５】
ＤＵ６１０は、端末から目標システム情報（ＳＩ：Ｓｙｓｔｅｍ  Ｉｎｆｏｒｍａｔｉｏｎ）のための第１ＳＩ要求を受信するように構成されてもよく、ＣＵ６２０へ第１ＳＩ要求を転送してもよい。
【００５６】
ＣＵ６２０は、第１ＳＩ要求の受信時に、要求された目標ＳＩを端末に送信するか否かの第１インジケーションを送信するように構成されてもよい。
【００５７】
ＤＵ６１０は、第１インジケーションに基づいて、第１ＳＩ要求応答を生成するように、且つ、第１ＳＩ要求応答を端末に送信するようにさらに構成されてもよい。
【００５８】
実施形態において、ランダムアクセスチャネル（ＲＡＣＨ：Ｒａｎｄｏｍ  Ａｃｃｅｓｓ  Ｃｈａｎｎｅｌ）処理の間、ＤＵ６１０は、第１メッセージ（ＭＳＧ１）において端末により送信される第１ＳＩ要求を受信するように構成されてもよい。
【００５９】
実施形態において、ＤＵにより生成される第１ＳＩ要求応答は、媒体アクセス制御（ＭＡＣ：Ｍｅｄｉａ  Ａｃｃｅｓｓ  Ｃｏｎｔｒｏｌ）メッセージでもよい。
【００６０】
実施形態において、ＲＡＣＨ処理の間に、ＤＵ６１０は、第２メッセージ（ＭＳＧ２）において端末に第１ＳＩ要求応答を送信するように構成されてもよい。
【００６１】
当業者は、本開示の上記の実施形態における情報送信装置の関連性のある説明は、本開示の実施形態に係る情報送信方法の関連性のある説明に照らして理解されるであろうことを認識できる。
【００６２】
図７は、本開示のいくつかの実施形態に係る他の情報送信装置７００のブロック図を図示する。図７に図示されているように、情報送信装置７００はＤＵ７１０を含む。
【００６３】
ＤＵ７１０は、端末から目標システム情報（ＳＩ）のための第１ＳＩ要求を受信するように、第１構成情報に基づいて要求された目標ＳＩを端末へ送信するか否かを決定するように、前記の決定に基づいて第１ＳＩ要求応答を生成するように、及び第１ＳＩ要求応答を端末へ送信するように構成されている。
【００６４】
実施形態においては、第１構成情報は、どの目標ＳＩが端末へ送信され得るか、及び／又は、端末へ送信され得ないかを決定するように構成されてもよい。
【００６５】
第１構成情報は、予め構成された構成情報、又はＣＵ７２０からＤＵ７１０に同期された構成情報でもよい。
【００６６】
実施形態においては、装置はさらにＣＵ７２０を含んでもよい。
【００６７】
この実施形態においては、端末へ第１ＳＩ要求応答を送信する一方で、ＤＵ７１０は、第１ＳＩ要求をＣＵ７２０に転送するように構成されてもよい。ＣＵ７２０は、第１ＳＩ要求の受信時に、端末へ要求された目標ＳＩを送信するか否かを示すための第１インジケーションを送信するように構成されてもよい。
【００６８】
実施形態においては、ＲＡＣＨ処理の間、ＤＵ７１０は、第１メッセージ（ＭＳＧ１）において端末により送信された第１ＳＩ要求を受信するように構成されてもよい。
【００６９】
実施形態においては、ＤＵにより生成される第１ＳＩ要求応答はＭＡＣメッセージでもよい。
【００７０】
実施形態においては、ＲＡＣＨ処理の間、ＤＵ７１０は、第２メッセージ（ＭＳＧ２）において端末に第１ＳＩ要求応答を送信するように構成されてもよい。
【００７１】
当業者は、本開示の上記の実施形態における情報送信装置の関連性のある説明は、本開示の実施形態に係る情報送信方法の関連性のある説明に照らして理解されるであろうことを認識できる。
【００７２】
図８は、本開示のいくつかの実施形態に係るネットワークデバイス８００の概略ブロック図を図示する。ネットワークデバイス８００は、プロセッサ８１０及びメモリ８２０を含む。コンピュータプログラムはメモリ８２０に格納されている。コンピュータプログラムは、プロセッサ８１０により実行された場合、プロセッサに上記の方法の１つを実行させる。
【００７３】
実施形態においては、メモリ８２０はプロセッサ８１０から独立しているデバイスでもよく、又はプロセッサ８１０に統合されていてもよい。
【００７４】
ネットワークデバイス８００は、トランシーバ８３０を含んでもよい。プロセッサ８１０は、トランシーバ８３０を介して他のデバイスと通信してもよく、例えば、他のデバイスからの情報若しくはデータを受信してもよく、又は、他のデバイスに情報若しくはデータを送信してもよい。
【００７５】
トランシーバ８３０は、送信機及び受信機を含んでもよい。トランシーバ８３０は、さらに１つ又は複数のアンテナを含んでもよい。
【００７６】
ネットワークデバイス８００は、上記の様なネットワークデバイス、及び上記の様なネットワークデバイスによって実行される処理のうちの１つを実行するように構成されてもよい。具体的な処理は簡単のためにここでは詳述しない。
【００７７】
図９は、本開示のいくつかの実施形態に係るチップの概略ブロック図を図示する。チップ９００は、プロセッサ９１０を含んでもよく、プロセッサはメモリからコンピュータプログラムを呼び出して上記の方法を実行してもよい。
【００７８】
実施形態において、チップ９００はメモリ９２０を含んでもよい。プロセッサ９１０は、メモリ９２０からコンピュータプログラムを呼び出して上記の方法を実行してもよい。
【００７９】
実施形態において、メモリ９２０はプロセッサ９１０から独立したデバイスでもよく、又はプロセッサ９１０に統合されていてもよい。
【００８０】
実施形態において、チップ９００はインプットインタフェース９３０をさらに含んでもよい。プロセッサ９１０は、インプットインタフェース９３０を制御して、他のデバイス又はチップと通信を実行してもよく、例えば、他のデバイス又はチップから情報又はデータを取得してもよい。
【００８１】
実施形態において、チップはアウトプットインタフェース９４０をさらに含んでもよい。プロセッサ９１０は、インプットインタフェース９３０を制御して、他のデバイス又はチップと通信を実行してもよく、例えば、他のデバイス又はチップへ情報又はデータを送信してもよい。
【００８２】
実施形態において、チップは、上記のネットワークデバイスに適用されてもよい。チップは、上記のネットワークデバイスにより実行された処理を実行してもよい。具体的な処理は簡単のためにここでは詳述しない。
【００８３】
実施形態において、チップは、上記のターミナルデバイスに適用されてもよい。チップは、上記のターミナルデバイスにより実行された処理を実行してもよい。具体的な処理は簡単のためにここでは詳述しない。
【００８４】
ここでチップは、システムレベルチップ、システムチップ、チップシステム又はシステムオンチップと呼ばれるであろうチップを意味していることに留意されたい。
【００８５】
図１０は、本開示のいくつかの実施形態に係る通信システム１０００の概略ブロック図を図示する。図１０で図示されているように、通信システムはターミナルデバイス１０１０及びネットワークデバイス１０２０を含む。
【００８６】
ターミナルデバイス１０１０は、上記の方法において記述されたターミナルデバイスの機能を実行するように構成されてもよい。ネットワークデバイス１０２０は、上記の方法において記述されたネットワークデバイスの機能を実行するように構成されてもよい。
【００８７】
本開示のいくつかの実施形態において、コンピュータプログラムを格納しているコンピュータ可読記憶媒体が提供される。
【００８８】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００８９】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９０】
本開示のいくつかの実施形態において、コンピュータプログラムを含んでいる、コンピュータプログラム製品が提供される。
【００９１】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００９２】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９３】
本開示のいくつかの実施形態において、コンピュータプログラムが提供される。
【００９４】
コンピュータプログラムは、本開示の実施形態においてネットワークデバイスに適用されてもよく、プロセッサにより実行された場合、コンピュータプログラムは、上記のネットワークデバイスにより実行された処理を、プロセッサに実行させてもよい。具体的な処理は簡単のためにここでは詳述しない。
【００９５】
コンピュータプログラムは、本開示の実施形態においてモバイルターミナル又はターミナルデバイスに適用されてもよく、プロセッサにより実行された場合、コンピュータプログラムは、上記のモバイルターミナル又はターミナルデバイスにより実行された処理を、プロセッサに実行させてもよい。具体的な処理は簡単のためにここでは詳述しない。
【００９６】
プロセッサは、ここではシングルプロセッシング機能を持つＩＣチップ（ＩＣ：Ｉｎｔｅｇｒａｔｅｄ  Ｃｉｒｃｕｉｔ）でもよいことが理解されるべきである。上記の方法において記載された動作は、プロセッサにおけるハードウェア論理回路又はソフトウェア指令により、実行されてもよい。プロセッサは、汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらに類するプロセッサでもよい。
【００９７】
当業者は、本開示の実施形態において図示された装置におけるユニットの機能が、情報送信方法に関する上記の関連する記載に基づいて理解し得て、及びプロセッサ又は論理回路においてプログラムにより実行されることにより実現され得ることを認識するであろう。装置におけるユニットの機能は、プロセッサにおいて実行されるプログラムによって又は特定論理回路によって、実行されてもよい。
【００９８】
上述のメモリは、Ｕディスク、モバイルハードディスク、読み取り専用メモリ（ＲＯＭ：Ｒｅａｄ−Ｏｎｌｙ  Ｄｉｓｋ）、ランダムアクセスメモリ（ＲＡＭ：Ｒａｎｄｏｍ  Ａｃｃｅｓｓ  Ｍｅｍｏｒｙ）、磁気ディスク、又は光学ディスクなど、プログラムコードを格納する能力がある様々な媒体を含んでもよい。したがって、本開示の実施形態はソフトウェア及びハードウェアの、どの特定組合せに限定されない。
【００９９】
本開示の実施形態は、競合することなく互いに自由に組合せてもよい。
【０１００】
応用例で提供されるいくつかの実施形態において、開示されたシステム、デバイス、及び方法は他の形態で実現されてもよいことが理解されるべきである。例えば、上記のデバイスの実施形態は、単に例示であり、例えば、ユニットの分離は論理機能の分離のみである。他の分離の形態が実際に採用されてもよく、例えば、複数のユニット又は構成は、他のシステムにおいて組合せ又は統合されてもよく、又は、いくつかの特徴は省略され若しくは実行されなくてもよい。他の観点からでは、表示され又は議論された、相互結合、又は直接結合、又は通信結合は、いくつかのインタフェースを通じたデバイス又はユニットの間接結合又は通信結合でもよく、電気的、機械的又は他の形式でもよい。
【０１０１】
分離した構成要素として図示されたユニットは、物理的に分離されてもよく、されてなくてもよい。ユニットとして表示された構成要素は、物理ユニットでもよく、でなくてもよい。すなわち、構成要素は１つの場所に位置してもよく、又は複数のネットワークユニットに分散されてもよい。実施形態における解決の目的は、実際のニーズに係る一部の又は全てのユニットを選択することにより、実現されてもよい。
【０１０２】
加えて、本開示の様々な実施形態において、機能ユニットは１つのプロセッシングユニットに統合されてもよく、又は、機能ユニットは別個に物理的に存在してもよく、又は２つ以上のユニットが１つのユニットに統合されてもよい。統合されたユニットは、ハードウェアによって、又は、ハードウェア並びにソフトウェアの機能ユニットによって実行されてもよい。
【０１０３】
上記は本開示の具体的な実施形態のみであり、本開示の保護の範囲を限定することを意図していない。本開示によって開示された技術的範囲において、当業者にとって明らかなあらゆる変形又は置換は、本開示の保護の範囲内に含まれるべきである。
【手続補正２】
【補正対象書類名】特許請求の範囲
【補正対象項目名】全文
【補正方法】変更
【補正の内容】
【特許請求の範囲】
【請求項１】
情報送信のための方法であって、
分散ユニット（ＤＵ：Ｄｉｓｔｒｉｂｕｔｅｄ  Ｕｎｉｔ）により、ランダムアクセスチャネル（ＲＡＣＨ：Ｒａｎｄｏｍ  Ａｃｃｅｓｓ  Ｃｈａｎｎｅｌ）処理の間の、第１メッセージ（ＭＳＧ１）において、端末から送信された目標システム情報（ＳＩ：Ｓｙｓｔｅｍ  Ｉｎｆｏｒｍａｔｉｏｎ）のための第１ＳＩ要求を受信することと（４０１）、
前記ＤＵにより、中央ユニット（ＣＵ：Ｃｅｎｔｒａｌｉｚｅｄ  Ｕｎｉｔ）からの第１構成情報に基づいて前記目標ＳＩを前記端末に送信するか否かを決定することであって、前記第１構成情報は、どの目標ＳＩが前記端末に送信され得るか決定するように設定されていることと（４０２）、
前記ＤＵにより、前記決定に基づいて第１ＳＩ要求応答を生成することと（４０３）、
前記ＤＵにより、前記第１ＳＩ要求応答を前記端末に送信することと（４０４）、
を備える、方法。
【請求項２】
前記端末へ前記第１ＳＩ要求応答を送信している間に、前記ＤＵにより、前記第１ＳＩ要求を、前記ＣＵに転送することと、
前記第１ＳＩ要求の受信時に、前記端末へ要求された前記目標ＳＩを送信するか否かを示す第１インジケーションを、前記ＣＵにより送信することと、
をさらに備える、請求項１に記載の方法。
【請求項３】
前記ＤＵにより生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項１又は２に記載の方法。
【請求項４】
前記ＤＵにより、前記端末へ前記第１ＳＩ要求応答を送信することは（４０４）、
ＲＡＣＨ処理の間に、前記ＤＵにより、第２メッセージ（ＭＳＧ２）において前記端末に前記第１要求応答を送信すること、
を備える請求項１乃至３のいずれかに記載の方法。
【請求項５】
前記ＤＵは、ＮＲ−ＭＩＢメッセージの符号化のために構成されたｇＮＢ−ＤＵである、
又は、
前記ＤＵは、ＲＭＳＩメッセージの符号化のためにさらに構成されたｇＮＢ−ＤＵである、請求項１に記載の方法。
【請求項６】
前記目標ＳＩのための前記第１ＳＩ要求は、オン−デマンドＳＩ要求である、請求項１に記載の方法。
【請求項７】
前記目標ＳＩのための前記第１ＳＩ要求は、ＭＳＧ１−ベースのオン−デマンドＳＩ要求であり、前記ＭＳＧ１−ベースのオン−デマンドＳＩ要求はＲＡＣＨ処理を用い、及び、専用無線リソース制御（ＲＲＣ：Ｒａｄｉｏ  Ｒｅｓｏｕｒｃｅ  Ｃｏｎｔｒｏｌ）信号−ベースのオン−デマンドＳＩ要求はＲＲＣ信号を用いる、請求項１に記載の方法。
【請求項８】
前記ＣＵは、他のＳＩメッセージの符号化のために構成されたｇＮＢ−ＣＵである、請求項１に記載の方法。
【請求項９】
前記第１構成情報は、前記ＣＵから同期される請求項１に記載の方法。
【請求項１０】
前記第１構成情報は、どの目標ＳＩが前記端末へ送信され得るかを決定するようにさらに構成される、請求項１に記載の方法。
【請求項１１】
ランダムアクセスチャネル（ＲＡＣＨ：Ｒａｎｄｏｍ  Ａｃｃｅｓｓ  Ｃｈａｎｎｅｌ）処理の間の、第１メッセージ（ＭＳＧ１）において、端末から送信された目標システム情報（ＳＩ：Ｓｙｓｔｅｍ  Ｉｎｆｏｒｍａｔｉｏｎ）のための第１ＳＩ要求を受信するように、中央ユニット（ＣＵ：Ｃｅｎｔｒａｌｉｚｅｄ  Ｕｎｉｔ）（６２０）からの第１構成情報であって、どの目標ＳＩが前記端末に送信され得るかを決定するように構成された第１構成情報に基づいて前記目標ＳＩを前記端末に送信するか否かを決定するように、前記決定に基づいて、第１ＳＩ要求応答を生成するように、及び前記第１ＳＩ要求応答を前記端末に送信するように構成された分散ユニット（ＤＵ：Ｄｉｓｔｒｉｂｕｔｅｄ  Ｕｎｉｔ）（６１０）を備える、
情報送信装置（６００）。
【請求項１２】
前記装置はＣＵ（６２０）をさらに備えており、
前記端末へ前記第１ＳＩ要求応答を送信している間に、前記ＤＵ（６１０）は、前記第１ＳＩ要求を前記ＣＵ（６２０）に転送するように構成され、
前記ＣＵ（６２０）は、前記第１ＳＩ要求の受信時に、前記端末へ要求された前記目標ＳＩを送信するか否かを示すための第１インジケーションを送信するように構成される、
請求項１１に記載の装置。
【請求項１３】
前記ＤＵ（６１０）により生成される前記第１ＳＩ要求応答は、媒体アクセス制御（ＭＡＣ：Ｍｅｄｉａ  Ａｃｃｅｓｓ  Ｃｏｎｔｒｏｌ）メッセージである、請求項１１又は１２に記載の装置。
【請求項１４】
前記ＤＵ（６１０）は、ＲＡＣＨ処理の間に、第２メッセージ（ＭＳＧ２）において前記端末に前記第１ＳＩ要求応答を送信するように構成される、請求項１１乃至１３のいずれかに記載の装置。
【請求項１５】
前記ＤＵ（６１０）は、ＮＲ−ＭＩＢメッセージの符号化のために構成されたｇＮＢ−ＤＵである、
又は、
前記ＤＵ（６１０）は、ＲＭＳＩメッセージの符号化のためにさらに構成されたｇＮＢ−ＤＵである、請求項１１乃至１４のいずれかに記載の装置。
【手続補正３】
【補正対象書類名】図面
【補正対象項目名】図６
【補正方法】変更
【補正の内容】
【図６】
2021504993.tif 000013
【手続補正４】
【補正対象書類名】図面
【補正対象項目名】図７
【補正方法】変更
【補正の内容】
【図７】
2021504993.tif 000014
【手続補正５】
【補正対象書類名】図面
【補正対象項目名】図８
【補正方法】変更
【補正の内容】
【図８】
2021504993.tif 000015
【手続補正６】
【補正対象書類名】図面
【補正対象項目名】図９
【補正方法】変更
【補正の内容】
【図９】
2021504993.tif 000016
【国際調査報告】
2021504993.tif 000017
2021504993.tif 000018